(57)【要約】【課題】所定の方向へ向けての設置作業を容易に行うことができる指向性アンテナ装置を提供する。【解決手段】指向性アンテナ装置１にそのアンテナ指向方向Ｒと略平行な照準軸Ｓをもつファインダースコープ４を設けている。設置作業は、作業者がファインダースコープ４を覗いて相手方の指向性アンテナ装置１の所定部位に照準を合わせ、ボルト３ｄ及び３ｆを締め付けて当該指向性アンテナ装置１の位置を固定するだけで行える。アンテナ指向方向Ｒと照準軸Ｓとが略平行であるので、照準を合わせることにより、これら指向性アンテナ装置の指向方向Ｒが一致する。【選択図】  図１
2004297241.tif 000002
【特許請求の範囲】
【請求項１】
アンテナの指向方向と略平行な照準軸をもつ照準器を備えたことを特徴とする指向性アンテナ装置。
【発明の詳細な説明】
【０００１】
【発明の属する技術分野】
本発明は、所定の方向へ向けて設置することが容易な指向性アンテナ装置に関する。
【０００２】
【従来の技術】
パラボラアンテナなどの指向性アンテナは、情報伝送などの種々な用途に利用されている。
例えば或る地点と他の或る地点との間で指向性アンテナを用いた無線伝送で情報通信を行う場合には、各地点にそれぞれ指向性アンテナを設置し、これら指向性アンテナを互いに正対させて無線電波を送信又は受信するようにしている。
【０００３】
ここで、指向性アンテナはその指向性ゆえに、他の電波環境との干渉や伝搬特性などに優れるが、アンテナ同士を精度良く正対させて設置しなければならないという設置作業の困難性がある。
このような指向性アンテナのメリットとディメリットとは、使用するアンテナの指向性が狭くなるほど顕著となる。
【０００４】
従来における指向性アンテナの設置作業を図６及び図７を参照して説明する。
図７に示す指向性アンテナ装置６１は、四角な箱型の筐体に指向線アンテナと送受信処理を行うユニットとを内蔵している。同図中の６２は電波を阻害しない材料で形成されたアンテナカバーであり、当該カバー６２の内側に指向性アンテナが設けられて、当該指向性アンテナの指向方向は図中矢印Ｒで示す方向となっている。
【０００５】
指向性アンテナ装置６１には微動荷台６３が取り付けられ、この微動荷台を設置位置に取り付けることにより、指向性アンテナ装置６１は微動荷台６３を介して固定設置される。
微動荷台６３は歯車やカムなどの機構を内蔵して図中矢印Ｇ及びＨで示す直交する２軸回りに調整摘みを操作することにより微動でき、これによって、固定設置された指向性アンテナ装置６１の指向方向Ｒを微動調整することができるようになっている。
【０００６】
設置作業では、図８に示すように一対の指向性アンテナ装置６１を対向させて設置し、これらの指向性方向Ｒが互いに一致して正対するように微動荷台６３を調整操作する。
そして、この微動荷台６３の調整操作は、それぞれ或いは一方の指向性アンテナ装置６１にスペクトラムアナライザ６４を接続し、これら指向性アンテナ装置６１間で実際に無線電波を伝送させて、スペクトラムアナライザ６４で計測される電界強度がピークを示すようになされる。
【０００７】
【発明が解決しようとする課題】
上記のように従来では、作業者がスペクトラムアナライザ６４の計測値をメータで見ながら微動荷台６３を調整操作するといったスキャニングを行って電界強度ピークを探る作業を行う必要があり、また、設置作業のためにスペクトラムアナライザ６４を持ち込んで指向性アンテナ装置６１に接続なければならないたため、設置作業が煩雑で大掛かりなものとなっていた。
また、指向性アンテナ装置６１を設置するために機構が複雑で高価な微動荷台６３を用いなければならないため、大きなコストが掛かってしまっていた。
【０００８】
本発明は上記従来の事情に鑑みなされたもので、設置作業を容易に行うことができる指向性アンテナ装置を提供することを目的としている。
なお、本発明の更なる目的は以下の説明において明らかなところである。
【０００９】
【課題を解決するための手段】
本発明に係る指向性アンテナ装置は、アンテナの指向方向と略平行な照準軸をもつ照準器を備えている。
本発明によると、指向性アンテナ装置同士を正対させて設置する場合、作業者は一方の指向性アンテナ装置に設けられている照準器を覗いて他方の指向性アンテナ装置に照準を合わせ、当該位置で指向性アンテナ装置を固定することにより、これら指向性アンテナ装置同士を正対させてセットすることができる。
【００１０】
したがって、従来必要であったスペクロルアナライザは不要であり、また、照準器を覗きながら当該照準器が設けられている指向性アンテナ装置の向きを手で変更し、照準が合ったところで当該指向性アンテナ装置をネジ留めなどで位置決め固定すればよいので、高価な微動荷台も不要とすることができる。
【００１１】
ここで、照準器は、ファインダースコープと称せられるような光学レンズを備えて遠距離の物体にも高精度に照準を合わせることができるものが好ましいが、例えば、比較的短い距離を隔てて指向性アンテナ装置を設置する場合や、指向性アンテナ装置の指向性ビームが比較的幅広な場合などのように指向性アンテナ装置間の位置合わせに比較的大きな誤差が許容される場合には、光学レンズを備えないより簡単で安価なものを用いてもよく、要は、使用に際して必要な位置合わせ機能を有すれば種々な形式の照準器を用いることができる。
【００１２】
また、アンテナの指向方向と照準器の照準軸との関係は、照準を合わせようとする相手方の指向性アンテナ装置の照準目標部位が真対称であればかなり高精度な平行関係である必要があろうが、これとて指向性アンテナのビーム幅やその開き、両装置間の照準目標部位（相手側の照準器、目標マーク、目標となる装置の一部など）の位置関係などの実際を考慮すると、これらの軸関係は或る程度の誤差をもって平行であれば本発明の目的とする位置合わせを実現することができ、要は、照準器を用いて相手方の指向性アンテナ装置の照準目標部位に照準を合わせたときに、両装置の指向性アンテナ同士が仕様要求を満たすように対向させられればよい。
【００１３】
また、本発明は、位置合わせをしようとする両方のアンテナ装置に照準器を設けて両方から位置合わせ設置作業を行うようにしてもよいが、いずれか一方のアンテナ装置にのみ照準器を設けて、固定設置された他方のアンテナ装置に対して、一方のアンテナ装置側から照準器を用いて照準を合わせて当該一方のアンテナ装置を固定設置するようにしてもよい。
【００１４】
【発明の実施の形態】
本発明を実施例に基づいて具体的に説明する。
図１には本発明の一実施例に係る指向性アンテナ装置の概観を示してあり、本例の指向性アンテナ装置１は、四角な箱型の筐体に指向線アンテナと送受信処理を行うユニットとを内蔵している。
装置筐体の前面部には電波を阻害しない材料で形成されたアンテナカバー２が設けられており、当該カバー２の内側に指向性アンテナ（図示せず）が設けられて、当該指向性アンテナの指向方向は図中矢印Ｒで示す方向となっている。
【００１５】
装置筐体の下面部には取り付け用の荷台３が設けられており、当該荷台３によって、図中矢印Ａ及びＢで示す直交する２軸回りに指向性アンテナ装置１の取り付け位置（すなわち、指向方向Ｒ）が調整して固定できるようになっている。
荷台３は、図２に示すように、装置筐体の下面部に取り付けられた筐体側フランジ３ａと、アンテナ設置位置の設置台Ｃなどに取り付けられる設置側フランジ３ｂと、筐体側フランジ３ａと設置側フランジ３ｂとを回動可能に連結する枢軸３ｃ及びボルト３ｄとナット３ｅと、設置側フランジ３ｂを設置台Ｃに回動可能に取り付けるボルト３ｆとを有している。
【００１６】
したがって、ボルト３ｆで設置側フランジ３ｂを設置台Ｃに固定することにより指向性アンテナ装置１を設置位置に固定設置することができる。そして、ボルト３ｄとナット３ｅとの締め付けを緩めることで同軸上の軸Ａを中心として回動させて指向性アンテナ装置１の向きを任意に調整し、ボルト３ｄとナット３ｅとを締め付けることによりその調整した向きを固定することができる。また、ボルト３ｆの締め付けを緩めることで同軸上の軸Ｂを中心として回動させて指向性アンテナ装置１の向きを任意に調整し、ボルト３ｆを締め付けることによりその調整した向きを固定することができる。
なお、指向性アンテナ装置１を取り付け設置するための荷台は、本例のものに限らず種々な形式のものを採用することができ、従来例で示したような微動荷台６３を用いたとしても下記のようにスペクトラムアナライザ６４なしで精度よい設置作業を行うことができる。
【００１７】
図１に示す指向性アンテナ装置１には、装置筐体の左肩部に照準器としてのファインダースコープ４が設けられており、ファインダースコープ４の照準軸（光軸）Ｓはアンテナ指向性方向Ｒと略平行となっている。
なお、ファインダースコープ４は光学レンズを備えた正立像望遠鏡でその視野に中心を示す照準十字線を示すものであり、遠方の目標に対しても高精度に照準を合わせることができる。
【００１８】
ここで、設置作業は、図５に示すように一対の指向性アンテナ装置１を対向させて設置し、これらの指向性方向Ｒが互いに一致して正対するように荷台３を調整操作するが、以下に示す例のように照準器のファインダースコープ４を相手側に対する照準目標とする場合で、図１に示す例のようにファインダースコープ４を指向性アンテナ装置１の左右対称軸からずれた位置に設けた場合には、図３に示すように、相手側の指向性アンテナ装置１にはファインダースコープ４を鏡面関係となるように装置筐体の右肩部に設けるようにする。
【００１９】
なお、ファインダースコープ４を相手側に対する照準目標部位ともする場合には、図４に示すように指向性アンテナ装置１の対称軸上にファインダースコープ４を設けるようにすれば、ファインダースコープ４を設けた指向性アンテナ装置１を大量生産してファインダースコープ４の位置にかかわらず設置作業を行うことができる。なお、ファインダースコープ４を指向性アンテナ装置１に着脱可能に設ける、或いは、ファインダースコープ４を指向性アンテナ装置１の任意の位置に着脱可能に設けるようにしてもよく、このようにすれば、設置作業に際して必要に応じて必要な位置にファインダースコープ４を取り付けて位置合わせを行うことができる。
【００２０】
次に、指向性アンテナ装置１の設置作業を説明する。
設置作業は、一旦ボルト３ｆで設置台Ｃにそれぞれの指向性アンテナ装置１を取り付けて、これら一対の指向性アンテナ装置１をおおよそ対向させることから行う。この作業において、これら指向性アンテナ装置１のそれぞれのファインダースコープ４を作業者が覗き、相手側との位置関係を把握するようにすれば、おおよそであってもかなり精度よく位置関係を決めることができる。
【００２１】
そして、いずれか一方の指向性アンテナ装置１を、ボルト３ｄ及び３ｆを締め付けてその取り付け位置（すなわち、指向性方向Ｒ）を固定し、他方の指向性アンテナ装置１のファインダースコープ４を作業者が覗いて、当該他方の指向性アンテナ装置１を軸Ａ又はＢ回りで位置調整して固定した一方の指向性アンテナ装置１に対する取り付け位置調整をし、これら指向性アンテナ装置１の指向性Ｒが同軸上で対向するようにして当該他方の指向性アンテナ装置１をそのボルト３ｄ及び３ｆを締め付けて固定する。
【００２２】
本例のように鏡面部位に設けた相手側のファインダースコープ４を照準目標とする場合、図６（ａ）に示すように遠距離の場合や図６（ｂ）に示すように近距離の場合でも、ファインダースコープ４の視野５に見える相手側指向性アンテナ装置１のファインダースコープ（照準目標部位）４に照準線５ａ、５ｂの交点を合わせて、相手方の指向性アンテナ装置１と指向性方向Ｒを一致させる。
すなわち、ファインダースコープ４の照準軸Ｓと指向性方向Ｒとが平行であるので、ファインダースコープ同士を照準合わせすることで、両方の指向性アンテナ装置１の指向性方向Ｒは一致する。
【００２３】
したがって、作業者がファインダースコープ４を覗きながら手元の指向性アンテナ装置１の位置調整を行い、相手方と照準が合ったところでボルト３ｄ及び３ｆを締め付けて位置固定するだけで、一対の指向性アンテナ装置１を精度よく指向方向Ｒを対向させて設置することができ、例えばミリ波伝送のような狭指向性のアンテナ装置の設置作業も容易に行うことができる。
【００２４】
なお、上記の説明からも明らかなように、両方の指向性アンテナ装置１にファインダースコープ４を設けずに、いずれか一方の指向性アンテナ装置１だけにファインダースコープ４を設けるようにしてもよく、この場合、他方の指向性アンテナ装置１に指向方向Ｒの一致を得るための部位に目標マークを設けるようにすればよい。更には、このような目標マークも設けずに、指向方向Ｒの一致を得ることができる相手型装置の所定部位に、ファイバースコープ４によって照準を合わせることにより、両指向性アンテナ装置１を指向性方向を合わせて設置固定するようにしてもよい。
【００２５】
【発明の効果】
以上説明したように、本発明によると、指向性アンテナ装置に照準器を設けて相手方の指向性アンテナと位置合わせするようにしたため、高価な装置や大掛かりな準備を必要とせずに、精度よく位置合わせをして指向性アンテナ装置を設置することができる。指向性アンテナ装置は、見通しが良い場所に設置されることから、その設置場所は狭かったり高所であったりすることが想定されるが、このような場所での設置作業を考えると、本発明は極めて有効な課題解決手段である。
【図面の簡単な説明】
【図１】本発明の一例に係る指向性アンテナ装置の斜視図である。
【図２】本発明の一例に係る指向性アンテナ装置の取り付け部の構造を示す断面図である。
【図３】本発明の一例に係る指向性アンテナ装置の斜視図である。
【図４】本発明の一例に係る指向性アンテナ装置の斜視図である。
【図５】指向性アンテナ装置の設置作業を説明する図である。
【図６】本発明の一例に係るファインダースコープの視野を示す図である。
【図７】従来の指向性アンテナ装置の斜視図である。
【図８】指向性アンテナ装置の設置作業を説明する図である。
【符号の説明】
１：指向性アンテナ装置、  ２：アンテナカバー、
３：荷台、  ４：ファインダースコープ（照準器）、
Ａ：回動軸、  Ｂ：回動軸、
Ｒ：指向性方向、  Ｓ：照準軸（光軸）、
【図１】
2004297241.tif 000003
【図２】
2004297241.tif 000004
【図３】
2004297241.tif 000005
【図４】
2004297241.tif 000006
【図５】
2004297241.tif 000007
【図６】
2004297241.tif 000008
【図７】
2004297241.tif 000009
【図８】
2004297241.tif 000010